(57)【要約】【課題】  屋根換気を簡単に施工することが出来ると共に、効率良く小屋裏の換気を可能とし、なお且つ雨水に対する防水機能、いわゆる雨仕舞いを良好とする。【解決手段】  屋根換気ユニットは、底板１と天板２との間に空間を形成し、底板１と天板２とに幅方向にずらして換気口９、５をそれぞれ設けると共に、両側面の下部に壁３を設け、その上部に換気口４を設け設け、底板１を屋根の野地板または小屋裏の天板に取り付けることが出来るようにした。この屋根換気ユニットは、底板１側の換気口９を野地板や小屋裏の天板に設けた換気口の位置に合わせて野地板や小屋裏の天板に取り付ける。底板１側の換気口９の周囲は底板１から天板２に向けて立ち上がった壁１２で囲まれていると共に、天板２側の換気口５の周囲が天板２から底板１に向けて垂下した壁１３で囲まれている。【選択図】    図７
2007063942.tif 000002
【特許請求の範囲】
【請求項１】
屋根の野地板または小屋裏の天板に取り付けられ、小屋裏の換気を行う屋根換気ユニットであって、底板（１）と天板（２）との間に空間を形成し、底板（１）と天板（２）とに幅方向にずらして換気口（９）、（５）をそれぞれ設けると共に、側面の下部に壁（３）を設け、その上部に換気口（４）を設け、底板（１）を屋根の野地板または小屋裏の天板に取り付けることが出来るようにしたことを特徴とする屋根換気ユニット。
【請求項２】
底板（１）と天板（２）の換気口（９）、（５）にそれぞれ格子状のルーバー（１０）、（６）が設けられていることを特徴とする請求項１に記載の屋根換気ユニット。
【請求項３】
底板（１）側の換気口（９）の周囲は、底板（１）から天板（２）に向けて立ち上がった壁（１２）で囲まれていることを特徴とする請求項１または２に記載の屋根換気ユニット。
【請求項４】
天板（２）側の換気口（５）の周囲は、天板（２）から底板（１）に向けて垂下した壁（１３）で囲まれていることを特徴とする請求項１〜３の何れかに記載の屋根換気ユニット。
【発明の詳細な説明】
【技術分野】
【０００１】
本発明は天井裏の空気を野地板や小屋裏の天板等に開口した通気口と屋根瓦の重合部の薄い間隙を通して屋根の外と小屋裏との間で空気を流通させるか、或いは小屋裏と屋根裏に設けた通気路との間で空気を流通させて、小屋裏の換気を行うための屋根換気ユニットに関する。
【背景技術】
【０００２】
屋根工事の一般的な手順は、母屋という梁の上に直交するようにたるきを架設し、このたるきの上に張った野地板の上に防水シートを張り、その上に屋根の勾配方向に一定の間隔でその勾配と直交する方向に横桟木を取り付ける。その後、瓦尻の下面にある突起を横桟木に引っかけながら桟瓦を一方のけらば側から他方のけらば側へと葺いていく。このとき桟瓦の差し込みの上に隣接する他の桟瓦の桟を重ねて葺いていく。また桟瓦は１列ずつ軒先側から棟に向けて屋根勾配に沿って下から上へと並べ、下の桟瓦の瓦尻に上の瓦の瓦頭を重ねて葺きあげる。最上段の桟瓦を屋根の棟に沿って並べて葺いた後、棟瓦を葺く。
【０００３】
日本の夏は高温多湿であり、晴天の夏には屋根は相当高温に加熱される。そのため、小屋裏も相当な高温となり、冷房効率の点で小屋裏の冷却は配慮されなければならない。そのため、小屋裏の高温化防止の対策として考えられているのが屋根換気である。
屋根換気の中でも最も効率が良いと考えられるのが棟換気である。これは屋根の頂上部にあたる棟の部分に換気口を設け、ここから小屋裏の空気を換気するものである。屋根の頂上部は熱せられた空気が上昇してくる場所であり、従って屋根の頂上部である棟で換気するのが効果的である。
【０００４】
他方、寄せ棟屋根等では棟の長さが十分でなく、棟換気だけでは屋根換気が不十分な場合が多い。さらに、２階建て家屋の１階の屋根では、棟そのものが無いものが多い。そのため、屋根の傾斜部分の野地に開口部を設け、桟瓦の下で換気する構造のものも提案されている。このような屋根換気ユニットとしては、下記に挙げた特許文献に記載されたものが例示される。
【０００５】
しかしながら、これらの屋根換気ユニットは、ユニットの側面を通して換気するため、換気効率が悪く、十分な換気が出来ないという課題があった。また、施工も面倒である。
【特許文献１】特開２００１−２０４８０号公報
【特許文献２】特開平１１−２５６７５０号公報
【特許文献３】特開平８−２７０１６５号公報
【発明の開示】
【発明が解決しようとする課題】
【０００６】
本発明は、このような従来の屋根換気における課題に鑑み、野地や小屋天板に取り付ける屋根換気ユニットにおいて、簡単に施工することが出来ると共に、効率良く小屋裏の換気を可能とし、なお且つ雨水に対する防水機能、いわゆる雨仕舞いを良好とすることを目的とする。
【課題を解決するための手段】
【０００７】
底板１と天板２とにより、内部に空気の通路となる空間を設け、さらに底板１と天板２とに幅方向にずらして換気口９、５をそれぞれ設け、底板９から前記空間に入った空気が天板２の換気口５から抜けるようにすると共に、側面の上部に換気口４を設けて、この側面からも空気が抜けるようする一方でその側面の下部は壁３で閉じて雨水の浸入を防止するようにした。
【０００８】
すなわち、本発明による屋根換気ユニットは、底板１と天板２との間に空間を形成し、底板１と天板２とに幅方向にずらして換気口９、５をそれぞれ設けると共に、側面の下部に壁３を設け、その上部に換気口４を設け、底板１を屋根の野地板または小屋裏の天板に取り付けることが出来るようにしたことを特徴とする屋根換気ユニットである。
【０００９】
このような屋根換気ユニットは、底板１側の換気口９を野地板や小屋裏の天板に設けた換気口の位置に合わせて野地板や小屋裏の天板に取り付ける。こうすることにより、野地板や小屋裏の天板の下から底板１側の換気口９を通って底板１と天板１との間の空間に流入した空気は、天板２側の換気口５から抜ける。また、底板１と天板１との間の空間に流入した空気は、側面の上部の換気口４からも抜けるが、風向きによっては側面上部の換気口４から外側の空気が入り込み、これにより前記空間の中の空気が天板２側の換気口５から押し出される。これにより、効率よく小屋裏の換気が行える。
【００１０】
側面の下部は壁３となって閉じられているので、底板１と天板２との間に空間に雨水が浸入しない。また、換気口９、５が屋根換気ユニットの幅方向にずらして設けられているため、天板２側の換気口５から万一雨水が入ったときに、その水が底板１側の換気口９側に直接流れるのを防止することが出来る。これらのことから雨仕舞いが良好である。
底板１と天板２の換気口９、５にそれぞれ格子状のルーバー１０、６を張ることにより、屋外から虫等が侵入するのを防止することが出来る。
【００１１】
さらに、底板１側の換気口９の周囲が底板１から天板２に向けて立ち上がった壁１２で囲まれていることにより、換気口９、５が屋根換気ユニットの幅方向にずらして設けられているのに相まって、天板２側の換気口５から万一雨水が入ったときに、その水が底板１側の換気口９からその下に漏れるのを防止することが出来る。同様にして天板２側の換気口５の周囲が天板２から底板１に向けて垂下した壁１３で囲まれていることにより、天板２側の換気口５から万一雨水が入ったときに、その水が底板１の換気口９側へ流れ難くなる。
【発明の効果】
【００１２】
以上説明した通り、本発明による屋根換気ユニットは、底板１側の換気口９を野地板や小屋裏の天板に設けた換気口の位置に合わせて野地板や小屋裏の天板に取り付けるだけで施工出来るので、施工が簡単である。さらに、空気の流通が円滑であり、効率的な屋根換気が可能であると共に、雨水に対する防水機能、いわゆる雨仕舞いも良好である。
【発明を実施するための最良の形態】
【００１３】
本発明では、底板１と天板２との間に空気通路となる空間を形成し、この底板１と天板２及び側面とにそれぞれ換気口９、５、１７を設け、底板１の換気口９を通して野地板や小屋裏の天板に設けた換気口からの空気の流通を図ったものである。
以下、本発明を実施するための最良の形態について、実施例をあげて詳細に説明する。  
【００１４】
図１〜図７は、本発明の一実施例による屋根換気ユニットを示す図である。
屋根換気ユニットは、プラスチックの成形体からなるものである。この屋根換気ユニットは、底板１と天板２との間に空気の通路となる空間を設けた構造であり、高さは低く抑えられ、幅及び長さも桟瓦に比べて小さく設定されている。
【００１５】
底板１は両側に張り出しており、その張り出し部分にネジや釘等を通す固定穴７が設けられている。また図２と図７に示すように、それより内側の部分にもネジ穴１１が設けられている。さらにこの底板１の中央部分は、縦に長い換気口９が開口しており、この部分には格子状のルーバー１０が張られている。ルーバー１０の形状を図９に示す。図７に示すように、この換気口９の周囲は、底板１から天板２に向けてその間の空間の約１／２程の高さに立ち上がった壁１２で囲まれている。
【００１６】
他方、天板２は、底板１より幅が狭いが、両側は庇状に下方に傾斜している。その片側には、屋根に取り付けるときの方向性を示す取付方向表示８が記載されている。さらにその両側近くには、縦に長い換気口５、５が２つ開口しており、この部分には格子状のルーバー６、６が張られている。この換気口５、５の位置は底板１側の換気口９から両側にずれている。ルーバー１０の形状を図８に示す。この換気口６の周囲は、天板２から底板１に向けてその間の空間の約１／２程の高さに垂下した壁１３で囲まれている。
【００１７】
図７から明らかな通り、屋根換気ユニットの両側面の下部はそれぞれ壁３となっては閉じられ、その上部が開いた換気口４となっている。この換気口４の上の部分は、４５゜程度の角度で斜め下方に張り出した庇状の迫出壁１７となっている。また、図１に示すように、取付方向表示８により「上」と表示されたのと反対側の側面、すなわち屋根換気ユニットを屋根に設置したとき屋根勾配に沿って下方となる側面側の壁３には、図３に示すような水抜口１６が設けられている。また、図６と図７から明らか通り、屋根換気ユニットの端面の下側半分は壁３となっていて閉じているが、その上側約半分は開口しており、換気口１５となっている。
【００１８】
図１０はこの屋根換気ユニットを屋根の野地板に取り付けた例である。既に述べた通り、屋根工事の一般的な手順は、母屋２１、３３という梁の上に直交するようにたるき２２を架設し、このたるき２２の上に張った野地板２３の上に防水シートを張り、その上に屋根の勾配方向に一定の間隔でその勾配と直交する方向に横桟木３４を取り付ける。その後、瓦尻の下面にある突起を横桟木３４に引っかけながら桟瓦２５を一方のけらば側から他方のけらば側へと葺いていく。このとき桟瓦２５の差し込みの上に隣接する他の桟瓦の桟を重ねて葺いていく。また桟瓦２５は１列ずつ軒先側から棟に向けて屋根勾配に沿って下から上へと並べ、下の桟瓦２５の瓦尻に上の瓦の瓦頭を重ねて葺きあげる。最上段の桟瓦２５を屋根の棟に沿って並べて葺いた後、棟瓦２６を葺く。
【００１９】
この屋根工事に際して、予め野地板２３に前記屋根換気ユニットの底板１の換気口９とほぼ同じ大きさの換気口２４を設けておき、この換気口２４に前記屋根換気ユニットの底板１の換気口９を位置合わせして同屋根換気ユニットを野地板２３に取り付ける。この場合、図１に示した取付方向表示８に従い、閉塞壁３側を屋根勾配の上側となるよう野地板２３に取り付ける。取り付けは、底板１の固定穴７から木ネジや釘を差し込んで野地板２３に固定するか、或いはそれより内側のネジ穴１１に野地板２３の下側からネジを差し込んで固定する。その後、屋根換気ユニットの上に桟瓦２５を葺く。従って、屋根換気ユニットの長さ、幅及び高さは、この桟瓦２５を葺くのに障害とならず、この桟瓦２５と野地板２３との隙間に収まる寸法とする。
【００２０】
既に述べた通り、野地板２３の下から底板１側の換気口９を通って底板１と天板１との間の空間に流入した空気は、天板２側の換気口５から抜ける。また、底板１と天板１との間の空間に流入した空気は、両側面の換気口４からも抜けるが、風向きによっては何れかの側面の換気口４から外側の空気が入り込み、これにより前記空間の中の空気が天板２側の換気口５から押し出される。この空気は、桟瓦２５の隙間からその上へと抜ける。
【００２１】
また、換気口９、５が屋根換気ユニットの幅方向にずらして設けられているのに加えて、天板２側の換気口５の周囲が天板２から底板１に向けて垂下した壁１３で囲まれていると共に、底板１側の換気口９の周囲が底板１から天板２に向けて立ち上がった壁１２で囲まれていることにより、天板２側の換気口５から万一雨水が入ったときに、その水が底板１側の換気口９に流れず、その周囲の底板１の部分にのみ流れる。そしてこの水は、下側となる一方の側面側の水抜口１６から野地板２３の上の防水シート上に流れ出る。すなわち、水抜口１６を有する側の側面を屋根勾配に沿って下側に向けて屋根換気ユニットを取り付けることにより、ユニット内部に万一雨水が入ったときでも、水抜口１６から容易に排水され、棟の中には雨水が浸入しない。
また、屋根換気ユニットの側面の下部は壁３となっているため、桟瓦２５の下に流れ込んだ雨水が野地板２３の上の防水シートの上を流れても、屋根換気ユニットの側面からは水が同ユニット内に流れ込まない。
【００２２】
図１１はこの屋根換気ユニットを屋根の小屋裏の天板に取り付けた例である。最近の家屋建築では、建築物内部の気密性、断熱性を高めるため、内壁２９と外壁３０との間に空間２７を設け、さらに天板３５と野地板２３との間にも空間２８を設け、これらに空気を流通させる方式のものがある。図１１では、２階建て家屋の１階の屋根の張り出し部分を示している。この場合に、前記の野地板２３に代えて、天板３５に換気口３６を設け、ここに屋根換気ユニットを取り付けることも出来る。この場合は、小屋裏と前記空間２８との間で換気が行える。なお、図１１において符号３１は外壁サイディングであり、符号３２は水切り役物である。
【図面の簡単な説明】
【００２３】
【図１】本発明による屋根換気ユニットの一実施例を示す平面図である。
【図２】本発明による屋根換気ユニットの一実施例を示す底面図である。
【図３】本発明による屋根換気ユニットの一実施例を示す換気口を有する側の側面図である。
【図４】図１におけるＡ−Ａ線断面図である。
【図５】図１におけるＢ−Ｂ線断面図である。
【図６】本発明による屋根換気ユニットの一実施例を示す換気口を有する側の端面図である。
【図７】図１におけるＣ−Ｃ線拡大断面図である。
【図８】図１におけるＤ部拡大図である。
【図９】図２におけるＥ部拡大図である。
【図１０】本発明による屋根換気ユニットの一実施例を野地板に取り付け屋根に設置した状態示す断面図である。
【図１１】本発明による屋根換気ユニットの一実施例を小屋裏の天板に取り付け屋根裏に設置した状態示す断面図である。
【符号の説明】
【００２４】
１    底板
２    天板
３    側面に閉塞壁
４    側面の壁
５    天板の換気口
６    換気口のルーバー
９    底板の換気口
１０  換気口のルーバー
１２  換気口の周囲の壁
１３  換気口の周囲の壁
１７  側面の換気口
【図１】
2007063942.tif 000003
【図２】
2007063942.tif 000004
【図３】
2007063942.tif 000005
【図４】
2007063942.tif 000006
【図５】
2007063942.tif 000007
【図６】
2007063942.tif 000008
【図７】
2007063942.tif 000009
【図８】
2007063942.tif 000010
【図９】
2007063942.tif 000011
【図１０】
2007063942.tif 000012
【図１１】
2007063942.tif 000013